(57)【要約】【課題】  紛失した携帯電話機を所有者に速やかに返却させる携帯電話機回収システムを提供する。【解決手段】  紛失機管理サーバ２００は、所有者端末３００から受信した特典情報と、識別情報とを特定する情報である管理情報を生成して記憶し、管理情報と、特典情報とを、識別情報が示す携帯電話機１００に送信する。携帯電話機１００の表示部１１は、受信した管理情報と特典情報とを表示する。事業者端末４００は、携帯電話機１００の表示部１１が表示している管理情報を、紛失機管理サーバ２００に送信する。事業者端末４００は、紛失機管理サーバ２００が、事業者端末４００から受信した管理情報と、記憶している管理情報とが合致すると判定すると、特典情報が示す特典を携帯電話機１００の拾得者に与えてよいことを示す画面を、表示手段に表示させる。【選択図】  図１
2006140924.tif 000002
【特許請求の範囲】
【請求項１】
携帯通信端末の拾得者に与える特典を示す情報である特典情報と前記携帯通信端末を示す識別情報とに対応する情報である管理情報を生成する管理情報生成手段と、前記管理情報生成手段が生成した前記管理情報、前記特典情報、および前記識別情報を対応づけて記憶する記憶手段と、前記管理情報生成手段が生成した前記管理情報と前記特典情報とを前記識別情報が示す前記携帯通信端末に送信して前記携帯通信端末の表示手段に表示させるサーバ情報送受信手段とを含む管理サーバと、
前記携帯通信端末の表示手段が表示している前記管理情報を、前記管理サーバに送信する端末情報送受信手段を含む事業者端末とを備え、
前記管理サーバは、前記事業者端末から受信した前記管理情報と前記記憶手段が記憶している前記管理情報とが合致しているか否かを判定する判定手段を含み、
前記管理サーバの前記サーバ情報送受信手段は、前記判定手段の判定結果を示す判定情報を前記事業者端末に送信し、
前記事業者端末は、前記管理サーバから受信した前記判定情報に応じた画面を表示する判定情報表示手段を含む
ことを特徴とする紛失機回収管理システム。
【請求項２】
特典情報と識別情報とを入力する情報入力手段と、入力された前記特典情報と前記識別情報とを管理サーバに送信する情報送信手段とを含む入力端末を備えた
請求項１記載の紛失機回収管理システム。
【請求項３】
入力端末の情報入力手段は、携帯通信端末の所有者の氏名と住所とを含む情報である個人情報を入力し、
入力端末の情報送信手段は、前記個人情報を管理サーバに送信し、
前記管理サーバの記憶手段は、管理情報と特典情報と識別情報とに対応づけて前記個人情報を記憶し、
前記管理サーバのサーバ情報送受信手段は、前記個人情報を前記事業者端末に送信し、
前記事業者端末は、特典情報が示す特典と前記個人情報が示す前記携帯通信端末の所有者への前記携帯通信端末の配送料金とに応じて、前記携帯通信端末の所有者に請求する金額を算出する算出手段を含む
請求項２記載の紛失機回収管理システム。
【請求項４】
入力端末の情報入力手段は、携帯通信端末に盗難の疑いの有無を示す盗難情報を入力し、
入力端末の情報送信手段は、前記盗難情報を管理サーバに送信し、
管理サーバの記憶手段は、管理情報、特典情報、および識別情報に対応づけて、受信した前記盗難情報を記憶し、
前記管理サーバのサーバ情報送受信手段は、前記管理サーバの判定手段が、前記記憶手段が記憶している前記管理情報と事業者端末から受信した管理情報とが合致していると判定すると、前記盗難情報を前記事業者端末に送信し、
前記事業者端末は、前記管理サーバから受信した前記盗難情報が盗難の疑いがあることを示していると、前記盗難情報を表示する盗難情報表示手段と、
前記携帯通信端末が拾得されたときの状況を含む情報を入力する拾得状況入力手段と、
前記拾得状況入力手段に入力された情報を記憶する記憶手段とを含む
請求項２または請求項３記載の紛失機回収管理システム。
【請求項５】
管理サーバの管理情報生成手段は、図柄で表現された管理情報を生成して、生成した前記図柄で表現された管理情報を、サーバ送受信手段に、携帯通信端末へ送信させ、
携帯通信端末の表示手段は、前記管理サーバから受信した前記図柄で表現された管理情報を表示し、
事業者端末は、前記携帯通信端末の前記表示手段が表示している前記図柄で表現された管理情報を読み取る情報読み取り手段を含む
請求項１から請求項４のうちいずれか１項記載の紛失機回収管理システム。
【請求項６】
管理サーバは、特典情報と識別情報とを受信すると、携帯通信端末の動作を制御する制御信号を生成する制御信号生成手段を含み、
サーバ情報送受信手段は、前記制御信号生成手段が生成した前記制御信号を、前記携帯通信端末に送信し、
前記携帯通信端末は、前記制御信号を受信すると、前記制御信号に従って自端末の動作を制御する制御手段を含む
請求項１から請求項５のうちいずれか１項記載の紛失機回収管理システム。
【請求項７】
携帯通信端末は、ＳＩＭカードを搭載するＳＩＭカードスロットを含み、
前記携帯通信端末の表示手段は、ＳＩＭカードスロットにＳＩＭカードが搭載されていない状態で電源が投入されると、管理サーバから受信した管理情報と特典情報とを表示する
請求項１から請求項６のうちいずれか１項記載の紛失機回収管理システム。
【請求項８】
携帯通信端末は、ＳＩＭカードスロットに搭載されているＳＩＭカードを特定するＳＩＭカード識別手段と、
前記ＳＩＭカード識別手段が特定したＳＩＭカードを示す情報であるＳＩＭカード情報を記憶するＳＩＭカード情報記憶手段と、
前記ＳＩＭカード識別手段が特定したＳＩＭカードと、前記ＳＩＭカード情報記憶手段が示すＳＩＭカードとが合致するか否かを判定するＳＩＭカード判定手段とを含み、
前記携帯通信端末の表示手段は、前記ＳＩＭカード判定手段が、前記ＳＩＭカード識別手段が特定したＳＩＭカードと、前記ＳＩＭカード情報記憶手段が記憶しているＳＩＭカード情報が示すＳＩＭカードとが合致しないと判定すると、管理サーバから受信した管理情報と特典情報とを表示する
請求項７記載の紛失機回収管理システム。
【請求項９】
自端末の拾得者に与える特典を示す情報である特典情報と前記自端末を示す識別情報とに対応する管理情報と、前記特典情報とを表示する表示手段と、
前記自端末の動作を制御する制御信号を受信すると、前記制御信号に従って自端末の動作を制御する制御手段とを含む
ことを特徴とする携帯通信端末。
【請求項１０】
ＳＩＭカードを搭載するＳＩＭカードスロットを含み、
表示手段は、ＳＩＭカードスロットにＳＩＭカードが搭載されていない状態で電源が投入されると、管理情報と特典情報とを表示する
請求項９記載の携帯通信端末。
【請求項１１】
ＳＩＭカードスロットに搭載されているＳＩＭカードを特定するＳＩＭカード識別手段と、
前記ＳＩＭカード識別手段が特定したＳＩＭカードを示す情報であるＳＩＭカード情報を記憶するＳＩＭカード情報記憶手段と、
前記ＳＩＭカード識別手段が特定したＳＩＭカードと、前記ＳＩＭカード情報記憶手段が示すＳＩＭカードとが合致するか否かを判定するＳＩＭカード判定手段とを含み、
表示手段は、前記ＳＩＭカード判定手段が、前記ＳＩＭカード識別手段が特定したＳＩＭカードと、前記ＳＩＭカード情報記憶手段が記憶しているＳＩＭカード情報が示すＳＩＭカードとが合致しないと判定すると、管理情報と特典情報とを表示する
請求項１０記載の携帯通信端末。
【請求項１２】
携帯通信端末の拾得者に与える特典を示す情報である特典情報と、前記携帯通信端末を示す識別情報とに対応する情報である管理情報を生成する管理情報生成手段と、
前記管理情報生成手段が生成した前記管理情報、前記特典情報、および前記識別情報を対応づけて記憶する記憶手段と、
前記管理情報生成手段が生成した前記管理情報と前記特典情報とを、前記識別情報が示す前記携帯通信端末に送信し、通信ネットワークを介して接続された外部端末から管理情報を受信するサーバ情報送受信手段と、
前記サーバ情報送受信手段が前記外部端末から受信した前記管理情報と前記記憶手段が記憶している前記管理情報とが合致しているか否かを判定する判定手段とを含み、
前記サーバ情報送受信手段は、前記判定手段の判定結果を示す判定情報を前記通信ネットワークを介して前記外部端末に送信する
ことを特徴とする管理サーバ。
【請求項１３】
入力された携帯通信端末の拾得者に与える特典を示す情報である特典情報と、前記携帯通信端末を示す識別情報とを送信し、
前記特典情報と前記識別情報とに対応する情報である管理情報を生成し、
前記管理情報、前記特典情報、および前記識別情報を対応づけて記憶し、
生成した前記管理情報と前記特典情報とを、前記識別情報が示す前記携帯通信端末に送信し、
前記特典情報と前記管理情報とを表示し、
前記携帯通信端末が表示している前記管理情報を送信し、
受信した前記管理情報と記憶している前記管理情報とが合致しているか否かを判定し、
判定結果を示す判定情報を送信し、
受信した前記判定情報に応じた画面を表示し、
前記携帯通信端末の所有者に請求する金額を算出する
ことを特徴とする紛失機回収管理方法。
【請求項１４】
コンピュータに、
携帯通信端末の拾得者に与える特典を示す情報である特典情報と前記携帯通信端末を示す識別情報とに対応する情報である管理情報を生成させる管理情報生成処理と、
前記管理情報生成処理で生成した前記管理情報、前記特典情報、および前記識別情報を対応づけて記憶手段に記憶させる記憶処理と、
前記管理情報生成処理で生成した前記管理情報と前記特典情報とを、前記識別情報が示す前記携帯通信端末に送信させ、通信ネットワークを介して接続された外部端末から管理情報を受信させるサーバ情報送受信処理と、
前記サーバ情報送受信処理で前記外部端末から受信した前記管理情報と前記記憶手段が記憶している前記管理情報とが合致しているか否かを判定させる判定処理とを実行させ、
前記サーバ情報送受信処理で、前記判定処理における判定結果を示す判定情報を前記通信ネットワークを介して前記外部端末に送信させる
ための紛失機回収管理プログラム。
【発明の詳細な説明】
【技術分野】
【０００１】
本発明は、紛失した携帯電話機などの携帯通信端末を所有者に速やかに返却させる紛失機回収管理システム、携帯通信端末、管理サーバ、紛失機回収管理方法、およびプログラムに関する。
【背景技術】
【０００２】
近年、携帯電話機の普及に伴い、紛失したり、盗難されたりする携帯電話機の数も増加している。従来、携帯電話機を紛失してしまった人は、拾得者の応答に期待して紛失した携帯電話機に電話をかけたり、携帯電話通信網の管理会社に、紛失した携帯電話機による発信等の停止を依頼したりしていた。
【０００３】
しかし、携帯電話機の拾得者にとっては、拾得した携帯電話機を積極的に回収する窓口が明確ではなく、携帯電話機を拾得しても返却することは煩わしいため、一度紛失した携帯電話機が返却されるか否かは、拾得者の善意に委ねられている。
【０００４】
また、紛失した携帯電話機が連絡先を示す電子メールを受信すると、受信した電子メールの内容を携帯電話機の表示部に待ち受け画面として表示させる携帯電話機が提案されている（例えば、特許文献１参照。）。
【０００５】
紛失した携帯電話機が所定の電子メールを受信すると、予め決められた電話番号以外への発信を禁止し、予め記憶している音声メッセージを再生する携帯電話機が提案されている（例えば、特許文献２参照。）。
【０００６】
【特許文献１】特開２０００−２８６９９５号公報  （段落００１０〜００１６、図１）
【特許文献２】特開２００２−４４２３０号公報  （段落０００６〜００１４、図１）
【発明の開示】
【発明が解決しようとする課題】
【０００７】
しかし、特許文献１および特許文献２に記載されている携帯電話機が、所有者に返却されるか否かは拾得者の善意に委ねられており、一般に所有者に携帯電話機が返却される可能性は低い。
【０００８】
そこで、本発明は、紛失した携帯通信端末を所有者に速やかに返却させる紛失機回収管理システム、携帯通信端末、管理サーバ、紛失機回収管理方法、およびプログラムを提供することを目的とする。
【課題を解決するための手段】
【０００９】
本発明による紛失機回収管理システムは、携帯通信端末の拾得者に与える特典を示す情報である特典情報と携帯通信端末を示す識別情報とに対応する情報である管理情報を生成する管理情報生成手段と、管理情報生成手段が生成した管理情報、特典情報、および識別情報を対応づけて記憶する記憶手段と、管理情報生成手段が生成した管理情報と特典情報とを識別情報が示す携帯通信端末に送信して携帯通信端末の表示手段に表示させるサーバ情報送受信手段とを含む管理サーバと、携帯通信端末の表示手段が表示している管理情報を、管理サーバに送信する端末情報送受信手段を含む事業者端末とを備え、管理サーバは、事業者端末から受信した管理情報と記憶手段が記憶している管理情報とが合致しているか否かを判定する判定手段を含み、管理サーバのサーバ情報送受信手段は、判定手段の判定結果を示す判定情報を事業者端末に送信し、事業者端末は、管理サーバから受信した判定情報に応じた画面を表示する判定情報表示手段を含むことを特徴とする。
【００１０】
特典情報と識別情報とを入力する情報入力手段と、入力された特典情報と識別情報とを管理サーバに送信する情報送信手段とを含む入力端末を備えてもよい。
【００１１】
入力端末の情報入力手段は、携帯通信端末の所有者の氏名と住所とを含む情報である個人情報を入力してもよく、入力端末の情報送信手段は、個人情報を管理サーバに送信してもよく、管理サーバの記憶手段は、管理情報と特典情報と識別情報とに対応づけて個人情報を記憶してもよく、管理サーバのサーバ情報送受信手段は、個人情報を事業者端末に送信してもよく、事業者端末は、特典情報が示す特典と個人情報が示す携帯通信端末の所有者への携帯通信端末の配送料金とに応じて、携帯通信端末の所有者に請求する金額を算出する算出手段を含んでもよい。そのような構成によれば、事業者端末は、特典情報が示す特典と、個人情報が示す携帯通信端末の所有者への携帯通信端末の配送料金とに応じて、携帯通信端末の所有者に請求する金額を算出することができる。
【００１２】
入力端末の情報入力手段は、携帯通信端末に盗難の疑いの有無を示す盗難情報を入力してもよく、入力端末の情報送信手段は、盗難情報を管理サーバに送信してもよく、管理サーバの記憶手段は、管理情報、特典情報、および識別情報に対応づけて、受信した盗難情報を記憶してもよく、管理サーバのサーバ情報送受信手段は、管理サーバの判定手段が、記憶手段が記憶している管理情報と事業者端末から受信した管理情報とが合致していると判定すると、盗難情報を事業者端末に送信してもよく、事業者端末は、管理サーバから受信した盗難情報が盗難の疑いがあることを示していると、盗難情報を表示する盗難情報表示手段と、携帯通信端末が拾得されたときの状況を含む情報を入力する拾得状況入力手段と、拾得状況入力手段に入力された情報を記憶する記憶手段とを含んでもよい。そのような構成によれば、事業者端末は、盗難の疑いがある携帯通信端末の拾得時の情報を記憶するため、記憶した情報を警察に提供して、捜査の協力をすることができる。
【００１３】
管理サーバの管理情報生成手段は、図柄で表現された管理情報を生成して、生成した図柄で表現された管理情報を、サーバ送受信手段に、携帯通信端末へ送信させてもよく、携帯通信端末の表示手段は、管理サーバから受信した図柄で表現された管理情報を表示してもよく、事業者端末は、携帯通信端末の表示手段が表示している図柄で表現された管理情報を読み取る情報読み取り手段を含んでもよい。そのような構成によれば、事業者端末は、例えば、２次元バーコード等で表現された管理情報を読み取るため、事業者端末の管理者の作業負担を軽減することができる。
【００１４】
管理サーバは、特典情報と識別情報とを受信すると、携帯通信端末の動作を制御する制御信号を生成する制御信号生成手段を含んでもよく、サーバ情報送受信手段は、制御信号生成手段が生成した制御信号を、携帯通信端末に送信してもよく、携帯通信端末は、制御信号を受信すると、制御信号に従って自端末の動作を制御する制御手段を含んでもよい。そのような構成によれば、紛失した携帯通信端末を、拾得者に使用されることを防ぐことができる。
【００１５】
携帯通信端末は、ＳＩＭカードを搭載するＳＩＭカードスロットを含んでもよく、携帯通信端末の表示手段は、ＳＩＭカードスロットにＳＩＭカードが搭載されていない状態で電源が投入されると、管理サーバから受信した管理情報と特典情報とを表示してもよい。そのような構成によれば、携帯通信端末に、ＳＩＭカードが抜き取られても、管理情報と特典情報とを表示させることができる。
【００１６】
携帯通信端末は、ＳＩＭカードスロットに搭載されているＳＩＭカードを特定するＳＩＭカード識別手段と、ＳＩＭカード識別手段が特定したＳＩＭカードを示す情報であるＳＩＭカード情報を記憶するＳＩＭカード情報記憶手段と、ＳＩＭカード識別手段が特定したＳＩＭカードと、ＳＩＭカード情報記憶手段が示すＳＩＭカードとが合致するか否かを判定するＳＩＭカード判定手段とを含んでもよく、携帯通信端末の表示手段は、ＳＩＭカード判定手段が、ＳＩＭカード識別手段が特定したＳＩＭカードと、ＳＩＭカード情報記憶手段が記憶しているＳＩＭカード情報が示すＳＩＭカードとが合致しないと判定すると、管理サーバから受信した管理情報と特典情報とを表示してもよい。そのような構成によれば、携帯通信端末に、ＳＩＭカードが入れ替えられると、管理情報と特典情報とを表示させることができる。
【００１７】
本発明による携帯通信端末は、自端末の拾得者に与える特典を示す情報である特典情報と自端末を示す識別情報とに対応する管理情報と、特典情報とを表示する表示手段と、自端末の動作を制御する制御信号を受信すると、制御信号に従って自端末の動作を制御する制御手段とを含むことを特徴とする。
【００１８】
ＳＩＭカードを搭載するＳＩＭカードスロットを含んでもよく、表示手段は、ＳＩＭカードスロットにＳＩＭカードが搭載されていない状態で電源が投入されると、管理情報と特典情報とを表示してもよい。そのような構成によれば、携帯通信端末は、ＳＩＭカードが抜き取られても、管理情報と特典情報とを表示することができる。
【００１９】
ＳＩＭカードスロットに搭載されているＳＩＭカードを特定するＳＩＭカード識別手段と、ＳＩＭカード識別手段が特定したＳＩＭカードを示す情報であるＳＩＭカード情報を記憶するＳＩＭカード情報記憶手段と、ＳＩＭカード識別手段が特定したＳＩＭカードと、ＳＩＭカード情報記憶手段が示すＳＩＭカードとが合致するか否かを判定するＳＩＭカード判定手段とを含んでもよく、表示手段は、ＳＩＭカード判定手段が、ＳＩＭカード識別手段が特定したＳＩＭカードと、ＳＩＭカード情報記憶手段が記憶しているＳＩＭカード情報が示すＳＩＭカードとが合致しないと判定すると、管理情報と特典情報とを表示してもよい。そのような構成によれば、携帯通信端末は、ＳＩＭカードが入れ替えられても、管理情報と特典情報とを表示することができる。
【００２０】
本発明による管理サーバは、携帯通信端末の拾得者に与える特典を示す情報である特典情報と、携帯通信端末を示す識別情報とに対応する情報である管理情報を生成する管理情報生成手段と、管理情報生成手段が生成した管理情報、特典情報、および識別情報を対応づけて記憶する記憶手段と、管理情報生成手段が生成した管理情報と特典情報とを、識別情報が示す携帯通信端末に送信し、通信ネットワークを介して接続された外部端末から管理情報を受信するサーバ情報送受信手段と、サーバ情報送受信手段が外部端末から受信した管理情報と記憶手段が記憶している管理情報とが合致しているか否かを判定する判定手段とを含み、サーバ情報送受信手段は、判定手段の判定結果を示す判定情報を通信ネットワークを介して外部端末に送信することを特徴とする。
【００２１】
本発明による紛失機回収管理方法は、入力された携帯通信端末の拾得者に与える特典を示す情報である特典情報と、携帯通信端末を示す識別情報とを送信し、特典情報と識別情報とに対応する情報である管理情報を生成し、管理情報、特典情報、および識別情報を対応づけて記憶し、生成した管理情報と特典情報とを、識別情報が示す携帯通信端末に送信し、特典情報と管理情報とを表示し、携帯通信端末が表示している管理情報を送信し、受信した管理情報と記憶している管理情報とが合致しているか否かを判定し、判定結果を示す判定情報を送信し、受信した判定情報に応じた画面を表示し、携帯通信端末の所有者に請求する金額を算出することを特徴とする。
【００２２】
本発明による紛失機回収管理プログラムは、コンピュータに、携帯通信端末の拾得者に与える特典を示す情報である特典情報と携帯通信端末を示す識別情報とに対応する情報である管理情報を生成させる管理情報生成処理と、管理情報生成処理で生成した管理情報、特典情報、および識別情報を対応づけて記憶手段に記憶させる記憶処理と、管理情報生成処理で生成した管理情報と特典情報とを、識別情報が示す携帯通信端末に送信させ、通信ネットワークを介して接続された外部端末から管理情報を受信させるサーバ情報送受信処理と、サーバ情報送受信処理で外部端末から受信した管理情報と記憶手段が記憶している管理情報とが合致しているか否かを判定させる判定処理とを実行させ、サーバ情報送受信処理で、判定処理における判定結果を示す判定情報を通信ネットワークを介して外部端末に送信させることを特徴とする。
【発明の効果】
【００２３】
本発明によれば、紛失した携帯通信端末を、所有者に速やかに返却することができる。
【発明を実施するための最良の形態】
【００２４】
実施の形態１．
本発明の第１の実施の形態について、図面を参照して説明する。図１は、本発明の第１の実施の形態の一構成例を示す説明図である。
【００２５】
本発明の第１の実施の形態は、図１に示すように、携帯電話機（携帯通信端末）１００、紛失機管理サーバ（管理サーバ）２００、所有者端末（入力端末）３００、事業者端末４００、および通信ネットワーク５００を含む。通信ネットワーク５００は、例えば、インターネットによって実現され、紛失機管理サーバ２００、所有者端末３００、および事業者端末４００を接続する。
【００２６】
なお、紛失機管理サーバ２００と事業者端末４００とは、ＬＡＮ（Ｌｏｃａｌ  Ａｒｅａ  Ｎｅｔｗｏｒｋ）や、専用回線等で接続されていてもよい。携帯電話機１００と通信ネットワーク５００とは、携帯電話通信網（図示せず）とゲートウェイ（図示せず）とを介して接続される。
【００２７】
紛失機管理サーバ２００と事業者端末４００とは、例えば、紛失機の回収を請け負う代理店等の紛失機回収事業者等によって設置される。
【００２８】
図１に示す例では、１台の事業者端末４００を図示しているが、事業者端末４００は複数台設置されてもよい。携帯電話機１００の拾得者の利便性を考慮すると、事業者端末４００は、年中無休、２４時間営業で店舗数の多いチェーン店等（例えば、コンビニエンスストア等）の各店舗に設置されることが好ましい。すなわち、事業者端末４００は、多数設置されていることが好ましい。
【００２９】
図２は、本発明の第１の実施の形態の携帯電話機１００の一構成例を示すブロック図である。本発明の第１の実施の形態の携帯電話機１００は、情報を表示する表示部（表示手段）１１、指示を入力する操作部１２、情報を記憶する記憶部（ＳＩＭカード情報記憶手段）１３、無線信号を送受信するアンテナ１４、無線信号の復調と、無線信号への変調とを行う無線部１５、音声を入力するマイクロフォン１６、音声を出力するスピーカ１７、および各部を制御する制御部（制御手段、ＳＩＭカード識別手段、ＳＩＭカード判定手段）１０を含む。
【００３０】
制御部１０は、アンテナ１４と無線部１５とを介して、操作部１２に入力された指示に応じた動作の禁止を示す信号である制御信号を受信すると、操作部１２に入力された指示に応じた動作（発信および着信を含む）を行わないキーロックモードに遷移する。キーロックモードにおいて、制御部１０は、操作部１２に表示部１１が表示している画面をスクロールさせる指示に応じて、画面をスクロールさせてもよい。
【００３１】
なお、制御部１０は、予め記憶部１３が記憶している暗証番号が操作部１２に入力されると、キーロックモードから通常使用のモードに遷移する。また、制御部１０は、アンテナ１４と無線部１５とを介して、制御信号とともに情報を受信すると、表示部１１に情報の内容を表示させる。
【００３２】
所有者端末３００は、例えば、プログラムによって処理を実行するＣＰＵを搭載したパーソナルコンピュータによって実現され、通信ネットワーク５００を介して紛失機管理サーバ２００に接続する。
【００３３】
図３は、本発明の第１の実施の形態の所有者端末３００の一構成例を示すブロック図である。本発明の第１の実施の形態の所有者端末３００は、情報を入力する入力部（情報入力手段）３１、情報を送受信する送受信部（情報送信手段）３２、およびＣＰＵによって実現され、各部を制御する制御部３０を含む。
【００３４】
そして、所有者端末３００は、紛失した携帯電話機１００を示す電話番号等の識別情報と、携帯電話機１００の所有者の住所や氏名等の個人情報と、携帯電話機１００の拾得者に与える特典を示す特典情報とがキーボード等の入力部３１に入力されると、送受信部３２は、入力された識別情報と個人情報と特典情報とを紛失機管理サーバ２００に送信する。特典情報は、例えば、報労金の金額、報労金の予算（限度額）、またはお礼の品を特定する情報等である。
【００３５】
なお、所有者端末３００は、識別情報、個人情報、および特典情報の内容を所定のフォーマットで記載した電子メールを、紛失機管理サーバ２００に送信してもよい。
【００３６】
紛失機管理サーバ２００は、例えば、プログラムによって処理を実行するＣＰＵと、ハードディスク等の記憶手段とを搭載したサーバによって実現される。
【００３７】
図４は、本発明の第１の実施の形態の紛失機管理サーバ２００の一構成例を示すブロック図である。本発明の第１の実施の形態の紛失機管理サーバ２００は、情報を送受信する送受信部（サーバ情報送受信手段）２１、ハードディスク等の記憶手段によって実現され、情報を記憶する記憶部２２、およびＣＰＵによって実現され、各部を制御する制御部（管理情報生成手段、判定手段、制御信号生成手段）２０を含む。
【００３８】
そして、紛失機管理サーバ２００の制御部２０は、送受信部２１が識別情報と個人情報と特典情報とを受信すると、受信した識別情報と個人情報と特典情報とに対応する管理情報を生成する。そして、制御部２０は、生成した管理情報と、受信した識別情報、個人情報および特典情報とを対応づけて記憶部２２に記憶させる。なお、管理情報は、例えば、識別情報と個人情報と特典情報とが対応づけられていれば、そのうちのいずれかの情報に対応していればよい。つまり、管理情報によって、識別情報、個人情報、および特典情報を特定できれば、いかなる方法を用いてもよい。
【００３９】
また、紛失機管理サーバ２００の送受信部２１は、制御信号、管理情報、紛失機回収事業者を示す事業者情報および特典情報を、通信ネットワーク５００と携帯電話通信網とを介して携帯電話機１００に送信する。なお、管理情報は、例えば、数字や記号、文字列等である。紛失機管理サーバ２００の制御部２０は、管理情報の数字や記号、文字列等を、例えば、２次元バーコード等で表現して生成し、送受信部２１は、制御部２０が生成した２次元バーコード等の管理情報を携帯電話機１００に送信してもよい。
【００４０】
なお、紛失機管理サーバ２００の制御部２０は、携帯電話通信網の事業者のサーバであるキャリアサーバ（図示せず）に、携帯電話機１００の位置を示す位置情報の送信を要求してもよい。キャリアサーバは、携帯電話機１００が接続している基地局や、携帯電話機１００が接続している基地局が携帯電話機１００から受信した電波の強度等にもとづいて、携帯電話機１００の位置を特定する。
【００４１】
なお、携帯電話機１００がＧＰＳ（Ｇｌｏｂａｌ  Ｐｏｓｉｔｉｏｎｉｎｇ  Ｓｙｓｔｅｍ）衛星から受信した信号にもとづいて自端末の位置を測定する機能である現在位置測定機能を有していれば、キャリアサーバは、携帯電話機１００に、携帯電話機１００の現在位置測定機能によって測定された携帯電話機１００の位置を携帯電話通信網と通信ネットワーク５００とを介して送信させ、携帯電話機１００の位置を特定してもよい。
【００４２】
キャリアサーバは、特定した携帯電話機１００の位置を示す位置情報を、通信ネットワーク５００を介して紛失機管理サーバ２００に送信する。紛失機管理サーバ２００は、予め各事業者端末が設置されている位置を記憶し、キャリアサーバから受信した位置情報にもとづいて、携帯電話機１００の位置の近傍に設置されている事業者端末４００の位置を含む事業者情報を生成してもよい。紛失機管理サーバ２００は、例えば、位置情報が示す位置に最も近い事業者端末の位置を含む事業者情報や、位置情報が示す位置から、例えば、５番目までに近い事業者端末の位置の一覧を、位置情報が示す位置から近い順に携帯電話機１００の表示部１１に表示させる事業者情報等を生成してもよい。
【００４３】
紛失機管理サーバ２００の制御部２０は、送受信部２１が事業者端末４００から管理情報を受信すると、記憶部２２が記憶している管理情報と合致するか否かを判断し、事業者端末４００から受信した管理情報と記憶している管理情報とが合致したか否かを示す照合情報を生成する。
【００４４】
そして、紛失機管理サーバ２００の送受信部２１は、制御部２０が生成した照合情報を通信ネットワーク５００を介して事業者端末４００に送信する。また、紛失機管理サーバ２００の送受信部２１は、事業者端末４００の要求に応じて、管理情報に対応づけて記憶部２２が記憶している個人情報と識別情報とを、通信ネットワーク５００を介して事業者端末４００に送信する。
【００４５】
事業者端末４００は、例えば、プログラムによって処理を実行するＣＰＵ（端末情報送受信手段、算出手段、拾得状況入力手段）と、ハードディスク等の記憶手段とを搭載し、表示手段（判定情報表示手段、盗難情報表示手段）に接続されたパーソナルコンピュータによって実現される。そして、事業者端末４００は、携帯電話機１００の表示部１１に表示されている管理情報を読み取って、通信ネットワーク５００を介して紛失機管理サーバ２００に送信する。
【００４６】
なお、事業者端末４００は、例えば、２次元バーコードリーダ（情報読み取り手段）を備えていてもよい。そして、事業者端末４００の管理者が、２次元バーコードリーダを携帯電話機１００の表示部１１に近づけ、携帯電話機１００の表示部１１に、２次元バーコードで表現されて表示されている管理情報を、２次元バーコードリーダを介して事業者端末４００に読み取らせてもよい。
【００４７】
事業者端末４００は、紛失機管理サーバ２００から照合情報を受信し、受信した照合情報が、事業者端末４００が送信した管理情報と、紛失機管理サーバ２００が記憶している管理情報とが合致したことを示していると、表示手段に、携帯電話機１００の表示部１１が表示している特典情報が示す特典を携帯電話機１００の拾得者に与えてよいことを示す画面を表示させる。
【００４８】
また、事業者端末４００は、紛失機管理サーバ２００から受信した照合情報が、事業者端末４００が送信した管理情報と、紛失機管理サーバ２００が記憶している管理情報とが合致したことを示していると、紛失機管理サーバ２００に管理情報を送信して、携帯電話機１００の所有者の個人情報と、識別情報との送信を要求する。
【００４９】
事業者端末４００は、紛失機管理サーバ００から個人情報と識別情報とを受信すると、携帯電話機１００の表示部１１が表示している特典情報が示す特典に関する金額に、受信した個人情報が示す住所に携帯電話機１００を送付するのに必要な費用と、所定の手数料とを加えた金額を算出し、算出した金額を示す情報である費用情報を生成する。
【００５０】
事業者端末４００の管理者は、事業者端末４００が生成した費用情報にもとづいた金額を携帯電話機１００の所有者に請求してもよい。また、事業者端末４００が、キャリアサーバに識別情報と費用情報とを送信し、携帯電話通信網の事業者が、キャリアサーバが受信した費用情報が示す金額を、識別情報にもとづいて特定した携帯電話機１００の、携帯電話使用料に加算して携帯電話機１００の所有者に請求してもよい。
【００５１】
なお、事業者端末４００は、受信した照合情報が、事業者端末４００が送信した管理情報と、紛失機管理サーバ２００が記憶している管理情報とが合致しないことを示していると、表示手段に、管理情報が合致しないことを示す画面を表示させる。
【００５２】
紛失機管理サーバ２００は、コンピュータに、携帯電話機１００の拾得者に与える特典を示す情報である特典情報と携帯電話機１００を示す識別情報とに対応する情報である管理情報を生成させる管理情報生成処理と、管理情報生成処理で生成した管理情報、特典情報、および識別情報を対応づけて記憶手段に記憶させる記憶処理と、管理情報生成処理で生成した管理情報と特典情報とを、識別情報が示す携帯電話機１００に送信させ、通信ネットワーク５００を介して接続された事業者端末４００から管理情報を受信させるサーバ情報送受信処理と、サーバ情報送受信処理で事業者端末４００から受信した管理情報と記憶手段が記憶している管理情報とが合致しているか否かを判定させる判定処理とを実行させ、サーバ情報送受信処理で、判定処理における判定結果を示す判定情報を通信ネットワーク５００を介して事業者端末４００に送信させるための紛失機回収管理プログラムを搭載している。
【００５３】
次に、本発明の第１の実施の形態の動作を、図面を参照して説明する。図５は、本発明の第１の実施の形態の動作を説明するシーケンス図である。
【００５４】
所有者端末３００は、紛失した携帯電話機１００の所有者の操作に従って、通信ネットワーク５００を介して紛失機管理サーバ２００に接続する。そして、所有者端末３００は、識別情報と、携帯電話機１００の所有者の個人情報と、特典情報とが入力部３１に入力されると、送受信部３２は、入力された識別情報と個人情報と特典情報とを紛失機管理サーバ２００に送信する（ステップＳ１０１）。
【００５５】
紛失機管理サーバ２００の制御部２０は、送受信部２１が識別情報と個人情報と特典情報とを受信すると、受信した識別情報と特典情報とを特定する管理情報を生成する。そして、紛失機管理サーバ２００の制御部２０は、生成した管理情報と、受信した識別情報、個人情報および特典情報とを対応づけて記憶部２２に記憶させる（ステップＳ１０２）。また、紛失機管理サーバ２００の制御部２０は、送受信部２１が受信した識別情報にもとづいて携帯電話機１００を特定する。そして、特定した携帯電話機１００をキーロックモードにさせるとともに、表示部１６に管理情報、事業者情報、および特典情報を表示させるために、送受信部２１に、制御信号、管理情報、事業者情報および特典情報を、通信ネットワーク５００と携帯電話通信網とを介して携帯電話機１００に送信させる（ステップＳ１０３）。
【００５６】
携帯電話機１００は、通信ネットワーク５００と携帯電話通信網とを介して制御信号、管理情報、事業者情報および特典情報を受信する。携帯電話機１００の制御部１０は、アンテナ１４と無線部１５とを介して制御信号を受信すると、操作部１２に入力された指示に応じた動作（発信および着信を含む）を行わないキーロックモードに遷移する（ステップＳ１０４）。
【００５７】
携帯電話機１００の制御部１０は、アンテナ１４と無線部１５とを介して受信した管理情報、事業者情報、および特典情報の内容を、表示部１６に表示させる（ステップＳ１０５）。なお、管理情報が、例えば、２次元バーコードで表現されている場合、制御部１０は、表示部１１に管理情報を表現している２次元バーコードを表示させる。
【００５８】
携帯電話機１００の拾得者が、携帯電話機１００を事業者端末４００が設置されている店舗等に持参すると、事業者端末４００の管理者は、事業者端末４００に、携帯電話機１００の表示部１１に表示されている管理情報を読み取らせる（ステップＳ１０６）。事業者端末４００は、読み取った管理情報を、通信ネットワーク５００を介して紛失機管理サーバ２００に送信する（ステップＳ１０７）。
【００５９】
紛失機管理サーバ２００の制御部２０は、送受信部２１が事業者端末４００から管理情報を受信すると、記憶部２２が記憶している管理情報と合致するか否かを判断し、送受信部２１が事業者端末４００から受信した管理情報と記憶部２２が記憶している管理情報とが合致したか否かを示す照合情報を生成する（ステップＳ１０８）。そして、紛失機管理サーバ２００の送受信部２１は、制御部２０が生成した照合情報を通信ネットワーク５００を介して事業者端末４００に送信する（ステップＳ１０９）。
【００６０】
事業者端末４００は、紛失機管理サーバ２００から照合情報を受信する。事業者端末４００は、受信した照合情報が、事業者端末４００が送信した管理情報と、紛失機管理サーバ２００が記憶している管理情報とが合致したことを示していると（ステップＳ１１０）、表示手段に、携帯電話機１００の表示部１１が表示している特典情報が示す特典を携帯電話機１００の拾得者に与えてよいことを示す画面を表示させる（ステップＳ１１１）。
【００６１】
事業者端末４００は、紛失機管理サーバ２００から受信した照合情報が、事業者端末４００が送信した管理情報と、紛失機管理サーバ２００が記憶している管理情報とが合致しないことを示していると、表示手段に、携帯電話機１００の表示部１１が表示している特典情報が示す特典を携帯電話機１００の拾得者に与えないことを示す画面を表示させる。
【００６２】
事業者端末４００の管理者は、事業者端末４００の表示手段が、携帯電話機１００の表示部１１が表示している特典情報が示す特典を携帯電話機１００の拾得者に与えてよいことを示す画面を表示すると、携帯電話機１００の表示部１１が表示している特典情報が示す特典を携帯電話機１００の拾得者に与える。
【００６３】
事業者端末４００は、紛失機管理サーバ２００に管理情報を送信して、携帯電話機１００の所有者の個人情報と、識別情報との送信を要求する（ステップＳ１１２）。
【００６４】
紛失機管理サーバ２００の送受信部２１は、事業者端末４００の要求に応じて、記憶部２２が管理情報に対応づけて記憶している個人情報を、通信ネットワーク５００を介して事業者端末４００に送信する（ステップＳ１１３）。
【００６５】
事業者端末４００は、紛失機管理サーバ２００から個人情報を受信する。そして、事業者端末４００は、携帯電話機１００の表示部１１が表示している特典情報が示す特典に関する金額に、受信した個人情報が示す住所に携帯電話機１００を送付するのに必要な費用と、所定の手数料とを加えた金額を示す情報である費用情報を生成する（ステップＳ１１４）。事業者端末４００の管理者は、携帯電話機１００を、個人情報が示す携帯電話機１００の住所に送付し、費用情報が示す金額を、携帯電話機１００の所有者に請求する。
【００６６】
なお、紛失機管理サーバ２００の送受信部２１は、事業者端末４００の要求に応じて、管理情報に対応づけて記憶部２２が記憶している個人情報と識別情報とを、通信ネットワーク５００を介して事業者端末４００に送信してもよい。また、事業者端末４００は、受信した識別情報と生成した費用情報とをキャリアサーバに送信してもよい。そして、携帯電話通信網の事業者が、キャリアサーバが受信した費用情報が示す金額を、識別情報にもとづいて特定した携帯電話機１００の、携帯電話使用料に加算して携帯電話機１００の所有者に請求してもよい。
【００６７】
以上に述べたように、この実施の形態によれば、携帯電話機１００の拾得者は、事業者端末４００が設置されている店舗等に携帯電話機１００を持参すると特典が与えられるため、携帯電話機１００の拾得者に拾得した携帯電話機１００の返却を促し、紛失した携帯電話機１００を所有者に速やかに返却させることができる。
【００６８】
また、携帯電話機１００の所有者は、携帯電話機１００の拾得者に与える特典を、自らの意志で決定することができる。
【００６９】
さらに、携帯電話機１００の所有者と、拾得者とが直接接触しないので、両者のプライバシー等の安全性を保つことができる。
【００７０】
なお、事業者端末４００が設置されている各店舗等に予め複数の謝礼の物品を保管しておき、事業者端末４００が、予め複数の謝礼の物品の名称を、各物品の金額と対応づけて記憶していてもよい。そして、事業者端末４００は、紛失機管理サーバ２００から受信した照合情報が、事業者端末４００が送信した管理情報と、紛失機管理サーバ２００が記憶している管理情報とが合致したことを示していると、表示手段に、携帯電話機１００の表示部１１が表示している特典情報が示す報労金の金額の範囲内の物品の名称の一覧を表示させてもよい。
【００７１】
そして、事業者端末４００の管理者は、携帯電話機１００の拾得者が事業者端末４００の表示手段が表示している物品の名称から選択した物品を、携帯電話機１００の拾得者に与えてもよい。すると、携帯電話機１００の拾得者は、特典情報が示す特典の金額の範囲内で、与えられる物品を選択することができる。
【００７２】
また、紛失機管理サーバ２００の送受信部２１は、管理情報と特典情報とを、例えば、２次元バーコードで表現して携帯電話機１００に送信してもよく、携帯電話機１００の表示部１１は、受信した管理情報と特典情報とが表現された２次元バーコードを表示してもよい。
【００７３】
そして、事業者端末４００は、携帯電話機１００の表示部１１が所定の位置で保持されると、携帯電話機１００の表示部１１が２次元バーコードで表示している管理情報と特典情報とを読み取る機能を備えていてもよい。そして、事業者端末４００は、紛失機管理サーバ２００から受信した照合情報が、事業者端末４００が送信した管理情報と、紛失機管理サーバ２００が記憶している管理情報とが合致したことを示していると、特典情報が示す特典の金額を支払う機能を備えていてもよい。すると、事業者端末４００の管理者を各事業者端末が設置されている店舗に配置しなくても、携帯電話機１００の拾得者は特典を得ることができる。
【００７４】
実施の形態２．
本発明の第２の実施の形態について説明する。本発明の第２の実施の形態では、第１の実施の形態の構成に加えて、事業者端末４００が設置されている店舗等に、防犯カメラが設置されている。また、携帯電話機１００の所有者が、所有者端末３００を操作して識別情報と、個人情報と、特典情報とを送信する際に、盗難の疑いの有無を示す盗難情報を紛失機管理サーバ２００に送信する。
【００７５】
紛失機管理サーバ２００の制御部２０は、送受信部２１が受信した識別情報と、個人情報と、特典情報と、盗難情報とを対応づけて記憶部２２に記憶させる。そして、紛失機管理サーバ２００の送受信部２１は、盗難の疑いがあることを示す盗難情報を受信すると、照合情報を事業者端末４００に送信する際に、盗難情報を事業者端末４００に送信する。事業者端末４００の管理者は、事業者端末４００が盗難情報を受信すると、携帯電話機１００の拾得者から、携帯電話機１００を拾得した状況（例えば、携帯電話機１００を拾得した日時や場所等）を聴取する。そして、事業者端末４００の管理者は、聴取した内容の情報と、例えば、運転免許証等の身分証明書に記載されている携帯電話機１００の拾得者の情報とを事業者端末４００に入力する。事業者端末４００は、入力された情報を記憶する。また、事業者端末４００の管理者は、防犯カメラが撮影した映像を、一定期間（例えば、３ヶ月間）保存しておく。
【００７６】
以上に述べたように、この実施の形態によれば、事業者端末４００の管理者は、携帯電話機１００の所有者が携帯電話機１００が盗難されたことを警察に届け出て、警察から情報提供の依頼を受けると、事業者端末４００が記憶している情報、および防犯カメラが撮影した映像を、警察に提供することができる。
【００７７】
実施の形態３．
本発明の第３の実施の形態について説明する。本発明の第３の実施の形態は、携帯電話機１００がＳＩＭ（Ｓｕｂｓｃｒｉｂｅｒ  Ｉｄｅｎｔｉｔｙ  Ｍｏｄｕｌｅ）カードスロットを備える点が、第１の実施の形態と異なり、その他の構成は第１の実施の形態と同様である。そのため、第１の実施の形態と同様な構成要素のサーバ等には図１と同じ符号を付し、説明を省略する。
【００７８】
携帯電話機１００の所有者は、所有者端末３００を操作して、予め識別情報と、個人情報と、特典情報とを紛失機管理サーバ２００に送信しておく。紛失機管理サーバ２００の制御部２０は、第１の実施の形態と同様に、送受信部２１が識別情報と、個人情報と、特典情報とを受信すると、管理情報を生成して記憶部２２に記憶させ、送受信部２１に生成した管理情報と特典情報とを携帯電話機１００に送信させる。
【００７９】
そして、携帯電話機１００の記憶部１３は、紛失機管理サーバ２００から受信した管理情報と特典情報とを含み、所定のタイミングで表示部１１に表示させる画面である紛失機画面を記憶する。
【００８０】
なお、携帯電話機１００の記憶部１３が記憶する紛失機画面は、携帯電話機１００の所有者が操作部１２を操作して作成した画面でもよいが、管理情報は紛失機管理サーバ２００から受信したものであるものとする。
【００８１】
携帯電話機１００の制御部１０は、ＳＩＭカードスロットからＳＩＭカードが抜き取られた状態で携帯電話機１００の電源がＯＮになると、記憶部１３が記憶している紛失機画面を表示部１１に表示させる。そして、制御部１０は、操作部１２に入力された指示に応じた動作（電源のＯＮおよびＯＦＦ以外）を行わないキーロックモードに遷移する。
【００８２】
また、携帯電話機１００の記憶部１３は、予めＳＩＭカードスロットに挿入されているＳＩＭカードを特定する情報を記憶しておく。制御部１０は、携帯電話機１００の電源がＯＮになったときに、記憶部１３が記憶しているＳＩＭカードを特定する情報が示すＳＩＭカードと、ＳＩＭカードスロットに挿入されているＳＩＭカードとが合致しないと判断すると、記憶部１３が記憶している紛失機画面を表示部１１に表示させる。そして、制御部１０は、操作部１２に入力された指示に応じた動作（電源のＯＮおよびＯＦＦ以外）を行わないキーロックモードに遷移する。
【００８３】
なお、携帯電話機１００の記憶部１３は、予めパスワードを記憶しておき、携帯電話機１００の制御部１０は、ＳＩＭカードが抜き取られた状態で携帯電話機１００の電源がＯＮになったり、ＳＩＭカードが入れ替えられて携帯電話機１００の電源がＯＮになったりすると、パスワードの入力を要求する画面を表示部１１に表示させてもよい。
【００８４】
そして、携帯電話機１００の操作部１２を操作して入力されたパスワードと、予め記憶部１３が記憶しているパスワードとが合致しないと、記憶部１３が記憶している紛失機画面を表示部１１に表示させ、操作部１２に入力された指示に応じた動作（電源のＯＮおよびＯＦＦ以外）を行わないキーロックモードに遷移する。
【００８５】
携帯電話機１００の操作部１２を操作して入力されたパスワードと、予め記憶部１３が記憶しているパスワードとが合致すると、携帯電話機１００の制御部１０は、通常の動作を行う。
【００８６】
なお、携帯電話機１００の記憶部１３は、ＳＩＭカードが抜き取られたり、入れ替えられたりして電源がＯＮになったときに、制御部１０に、記憶部１３が記憶している紛失機画面を表示部１１に表示させて、操作部１２に入力された指示に応じた動作（電源のＯＮおよびＯＦＦ以外）を行わないキーロックモードに遷移させるのか、または、通常の動作を行わせるのかを示すように操作部１２に入力された情報である設定情報を予め記憶していてもよい。
【００８７】
以上に述べたように、この実施の形態によれば、紛失した携帯電話機１００のＳＩＭカードがＳＩＭカードスロットから抜かれたり、ＳＩＭカードが入れ替えられたりしても、表示部１１に紛失機画面を表示させるため、携帯電話機１００の拾得者に拾得した携帯電話機１００の返却を促し、紛失した携帯電話機１００を所有者に速やかに返却させることができる。
【００８８】
なお、以上に述べた各実施の形態では、携帯通信端末として携帯電話機１００を例に説明したが、本発明はこれに限定されるものではなく、ＰＨＳ（Ｐｅｒｓｏｎａｌ  Ｈａｎｄｙ  Ｐｈｏｎｅ  Ｓｙｓｔｅｍ）端末や、通信機能を有するＰＤＡ（Ｐｅｒｓｏｎａｌ  Ｄｉｇｉｔａｌ  Ａｓｓｉｓｔａｎｃｅ）、モバイルパーソナルコンピュータ等であってもよい。
【産業上の利用可能性】
【００８９】
本発明は、紛失した携帯通信端末を、所有者に速やかに返却するシステムに適用することができる。
【図面の簡単な説明】
【００９０】
【図１】本発明の第１の実施の形態の一構成例を示す説明図である。
【図２】本発明の第１の実施の形態の携帯電話機の一構成例を示すブロック図である。
【図３】本発明の第１の実施の形態の所有者端末の一構成例を示すブロック図である。
【図４】本発明の第１の実施の形態の紛失機管理サーバの一構成例を示すブロック図である。
【図５】本発明の第１の実施の形態の動作を説明するシーケンス図である。
【符号の説明】
【００９１】
１０    制御部
１１    表示部
１２    操作部
１３    記憶部
１４    アンテナ
１５    無線部
１６    マイクロフォン
１７    スピーカ
２０、３０  制御部
２１、３２  送受信部
２２    記憶部
３１    入力部
１００  携帯電話機
２００  紛失機管理サーバ
３００  所有者端末
４００  事業者端末
５００  通信ネットワーク
【図１】
2006140924.tif 000003
【図２】
2006140924.tif 000004
【図３】
2006140924.tif 000005
【図４】
2006140924.tif 000006
【図５】
2006140924.tif 000007